(57)【要約】【課題】本発明は、端末が基地局をサーチする方法、並びに基地局、端末及びシステムを提供する。【解決手段】該基地局は、特定シーケンスに基づいてサイクリックシフトすることによって擬似ランダムシーケンスを生成するシーケンス生成手段と、該擬似ランダムシーケンスを、所定の長さをサイクリックシフトするサイクリックシフト手段と、該擬似ランダムシーケンスと、該サイクリックシフトした後のシーケンスとに対してコードチップ毎の加算を行って、該基地局に特定するパイロットコードを形成する加算手段と、該パイロットコードを送信する送信手段とを含む。本発明によれば、従来の相互相関受信アルゴリズムを変えない前提で、端末が基地局をサーチする時間を大幅に減少し、端末の電池のエネルギー消耗を減少し、システム性能を向上させることができる。【選択図】図４
2008061247.tif 000002
【特許請求の範囲】
【請求項１】
特定シーケンスに基づいて、サイクリックシフトすることによって擬似ランダムシーケンスを生成するシーケンス生成手段と、
該擬似ランダムシーケンスを、所定の長さをサイクリックシフトするサイクリックシフト手段と、
該擬似ランダムシーケンスと、サイクリックシフトした後のシーケンスとに対してコードチップ毎の加算を行い、該基地局に特定するパイロットコードを形成する加算手段と、
該パイロットコードを送信する送信手段と
を含むことを特徴とする基地局。
【請求項２】
異なる基地局は、同一の特定シーケンスに基づいて、サイクリックシフトすることによって擬似ランダムシーケンスを生成し、異なる基地局で生成した擬似ランダムシーケンスの、該特定シーケンスに対するサイクリックシフトの長さは異なり、異なる基地局が、擬似ランダムシーケンスをサイクリックシフトする長さは異なることを特徴とする請求項１に記載の基地局。
【請求項３】
前記加算手段で生成したパイロットコードに基づいて、特定シーケンスに対してサイクリックシフトした所定長さが同じである複数のパイロットコードを生成し、前記複数のパイロットコードをパイロットコードグループと定義するグループ分け手段をさらに備え、そのうち、異なるパイロットコードグループが特定シーケンスに対してサイクリックシフトする所定長さは異なることを特徴とする請求項１に記載の基地局。
【請求項４】
該基地局は、通信システム又は放送システムに適用されることを特徴とする請求項１乃至３のいずれか一項に記載の基地局。
【請求項５】
受信信号に対して、特定シーケンスと相互相関演算を行って、チャネルインパルス応答を得る相互相関演算手段と、
該チャネルインパルス応答信号の幅とそのチャネルインパルス応答のピーク間の距離に基づいて、異なる基地局の信号強度及び使用するパイロットコードを判断して、最も信号強度の強い基地局及び該基地局が使用するパイロットコードを見つける判断手段と
を含むことを特徴とする端末。
【請求項６】
相関演算を行うローカルコードは、特定シーケンス、又はいずれの基地局のパイロットコードであることを特徴とする請求項５に記載の端末。
【請求項７】
前記端末は、携帯電話、ＰＤＡ又はラジオを含み、且つ、該端末は、通信システム又は放送システムに適用されることを特徴とする請求項６に記載の端末。
【請求項８】
前記判断手段は、該チャネルインパルス応答信号の幅とそのチャネルインパルス応答のピーク間の距離に基づいて、異なる基地局グループの信号強度及び異なる基地局グループが対応するパイロットコードグループを判断して、最も信号強度の強い基地局グループ及び該基地局グループが使用するパイロットコードグループを見つけ、異なるパイロットコードグループが特定シーケンスに対してサイクリックシフトする所定長さは異なり、
該相互相関演算手段は、見つけたパイロットコードグループの各パイロットコードを用いてそれぞれ相互相関演算を行うことによって、最も信号強度の強い基地局及び該基地局が使用するパイロットコードを見つけることを特徴とする請求項５に記載の端末。
【請求項９】
基地局と端末とを含むシステムであって、
前記基地局は、
特定シーケンスに基づいて、サイクリックシフトすることによって擬似ランダムシーケンスを生成するシーケンス生成手段と、
該擬似ランダムシーケンスを、所定の長さをサイクリックシフトするサイクリックシフト手段と、
該擬似ランダムシーケンスと、該サイクリックシフトした後のシーケンスとに対してコードチップ毎の加算を行って、該基地局に特定するパイロットコードを形成する加算手段と、
該パイロットコードを送信する送信手段と
を含み、
前記端末は、
受信信号に対して、特定シーケンスとそれぞれ相互相関演算を行って、チャネルインパルス応答を得る相互相関演算手段と、
該チャネルインパルス信号の幅とそのピーク間の距離に基づいて、異なる基地局の信号強度及び使用するパイロットコードを判断して、最も信号強度の強い基地局及び該基地局が使用するパイロットコードを見つける判断手段と
を含むことを特徴とするシステム。
【請求項１０】
異なる基地局は、同一の特定シーケンスに基づいて擬似ランダムシーケンスを生成し、異なる基地局で生成した擬似ランダムシーケンスの、該特定シーケンスに対するサイクリックシフトの長さは異なることを特徴とする請求項９に記載のシステム。
【請求項１１】
前記基地局は、前記加算手段で生成したパイロットコードに基づいて、特定シーケンスに対してサイクリックシフトした所定長さが同じである複数のパイロットコードを生成し、前記複数のパイロットコードをパイロットコードグループと定義するグループ分け手段をさらに備え、そのうち、異なるパイロットコードグループが特定シーケンスに対してサイクリックシフトする所定長さは異なることを特徴とする請求項１０に記載のシステム。
【請求項１２】
前記端末は、携帯電話、ＰＤＡ又はラジオを含み、
該システムは、通信システム又は放送システムであることを特徴とする請求項９に記載のシステム。
【請求項１３】
前記端末において、判断手段は、該チャネルインパルス応答信号の幅とそのチャネルインパルス応答のピーク間の距離に基づいて、異なる基地局グループの信号強度及び異なる基地局グループが対応するパイロットコードグループを判断して、最も信号強度の強い基地局グループ及び該基地局グループが使用するパイロットコードグループを見つけ、異なるパイロットコードグループが特定シーケンスに対してサイクリックシフトする所定長さは異なり、
該相互相関演算手段は、見つけたパイロットコードグループの各パイロットコードを用いてそれぞれ相互相関演算を行うことによって、最も信号強度の強い基地局及び該基地局が使用するパイロットコードを見つけることを特徴とする請求項９に記載のシステム。
【請求項１４】
基地局が、特定シーケンスに基づいて、サイクリックシフトすることによって擬似ランダムシーケンスを生成するステップａと、
基地局が、該擬似ランダムシーケンスを、所定の長さをサイクリックシフトし、そのうち、異なる基地局が、擬似ランダムシーケンスをサイクリックシフトする所定の長さは異なるステップｂと、
基地局が、該擬似ランダムシーケンスと、サイクリックシフトした後のシーケンスとに対してコードチップ毎の加算を行い、パイロットコードを形成して送信するステップｃと、
端末が、受信信号に対して、ローカルコードと相互相関演算を行い、演算結果におけるチャネルインパルス応答信号の幅とそのピーク間の距離に基づいて、最も信号強度の強い基地局に対応するパイロットコードを判断するステップｄと
を含むことを特徴とする、端末が基地局をサーチする方法。
【請求項１５】
異なる基地局は、同一の特定シーケンスに基づいて、サイクリックシフトすることによって擬似ランダムシーケンスを生成し、異なる基地局で生成した擬似ランダムシーケンスの、該特定シーケンスに対するサイクリックシフトの長さは異なることを特徴とする請求項１４に記載の方法。
【請求項１６】
特定シーケンスに対してサイクリックシフトした所定長さが同じである複数のパイロットコードを生成し、該複数のパイロットコードをパイロットコードグループと定義し、そのうち、該パイロットコードグループの各パイロットコードは、基地局グループの各基地局に対応し、異なるパイロットコードグループが特定シーケンスに対してサイクリックシフトする所定長さは異なることを特徴とする請求項１５に記載の方法。
【請求項１７】
該端末は、携帯電話、ＰＤＡ又はラジオを含み、
該端末及び基地局は、通信システム又は放送システムに適用されることを特徴とする請求項１４に記載の方法。
【請求項１８】
該チャネルインパルス応答信号の幅とそのチャネルインパルス応答のピーク間の距離に基づいて、異なる基地局グループの信号強度及び異なる基地局グループが対応するパイロットコードグループを判断して、最も信号強度の強い基地局グループ及び該基地局グループが使用するパイロットコードグループを見つけ、異なるパイロットコードグループが特定シーケンスに対してサイクリックシフトする所定長さは異なり、
見つけたパイロットコードグループの各パイロットコードを用いてそれぞれ相互相関演算を行うことによって、最も信号強度の強い基地局及び該基地局が使用するパイロットコードを見つけることを特徴とする請求項１４に記載の方法。
【発明の詳細な説明】
【技術分野】
【０００１】
本発明は、情報処理技術に係わり、特に、端末が基地局をサーチする方法、並びに基地局、端末及びシステムに関する。
【背景技術】
【０００２】
通信システム、放送システムなどのようなシステムにおいて、移動端末又は位置変更された固定端末は、起動された後に、最も信号強度の強い基地局をサーチして通信又は信号を受信する必要がある。基地局は、一般的に、特定長さの、良好な自己相関特性を持つシーケンスを送信することによって、セル選択、同期及びチャネル推定を行う。
【０００３】
セルラーシステムにおいて、異なる基地局は、良好な相互相関特性を有する異なるシーケンスを送信し、端末においては、信号最強の基地局を区分するために、可能性のある全てのシーケンスに対して相互相関を行う必要がある。シーケンスを送信できる基地局が複数ある場合、該端末は、信号最強の基地局を判断するために、大量な相互相関演算が必要となり、大量な演算資源と電池エネルギーがかかる。これは、エネルギー制限を受ける端末、特に移動端末に対しては、非常に不利なことである。
【０００４】
移動端末を例とする場合、移動端末がシステムにアクセスする第一歩は、現在の最良セルとの同期を取得することである。該過程は、移動端末がセルのパイロットコードをキャッチすることによって実現される。図１に示すシステムにおいて、移動端末は、セル１（基地局＃１がカバーするセル）に最も近く、セル２（基地局＃２がカバーするセル）にやや遠く、セル３（基地局＃３がカバーするセル）に最も遠い。従来のアルゴリズムにおいて、移動端末は、受信信号に対して、上記三つのセルからの三つのパイロットコードと相関を行い、相関によって得られた値を比較することで、最強の信号がどのセルのパイロットコードに対応するかが得られる。
【０００５】
同期システム、即ち、基地局から信号を送信する時間差が確定されたシステムの場合、サイクリックシフトしたパイロットコードを送信することによって異なる基地局を区分できる。図２において、同期システムと非同期システムにおいて、サイクリックシフトによって、送信するパイロットコード信号を生成することと移動端末の受信仕組みが示されている。図２に示すように、セル１からパイロットコード１を送信し、セル２から、パイロットコード１を６４個のコードチップをサイクリックシフトして得たコードを送信し、セル３から、パイロットコード１を１２８個のコードチップをサイクリックシフトして得たコードを送信する。移動端末において、パイロットコード１と受信した信号とに対して相互相関演算を行うことによって、図２に示すチャネルインパルス応答の結果が得られる。チャネルインパルス応答を分析することによって、セルの使用するパイロットコードを区分でき、セルに使用される最もよいパイロットコードがパイロットコード１であると判断できる。
【０００６】
非同期システム、即ち、異なる基地局から信号を送信する時間差が不確定のシステムの場合、図２の下部に示すように、セル２とセル３が、パイロットコードを送信する時間が不確定であると、移動端末は、相互相関演算を通じて得たチャネルインパルス応答に基づいてセル２とセル３を区分することができない。
【０００７】
非同期システムが一般的であるため、可能性のある複数のパイロットコードに対して、可能性のある全てのパイロットコードと相互相関演算を行う必要がある。
【０００８】
従って、端末（例えば移動端末など）が基地局（例えば基地局など）をサーチすることを加速させる方法と装置の提供が必要となり、それによって、端末が基地局をサーチする時間を大幅に減少し、端末のエネルギー消耗を減少することができる。
【発明の開示】
【発明が解決しようとする課題】
【０００９】
本発明の目的は、端末が基地局をサーチする方法、並びに基地局、端末及びシステムを提供することである。
【課題を解決するための手段】
【００１０】
本発明の第１の特徴は、基地局であって、特定シーケンスに基づいて、サイクリックシフトすることによって擬似ランダムシーケンスを生成するシーケンス生成手段と、該擬似ランダムシーケンスを、所定の長さをサイクリックシフトするサイクリックシフト手段と、該擬似ランダムシーケンスと、該サイクリックシフトした後のシーケンスとに対してコードチップ毎の加算を行い、該基地局に特定するパイロットコードを形成する加算手段と、該パイロットコードを送信する送信手段とを含むことを要旨とする。
【００１１】
本発明の第２の特徴は、端末であって、受信信号に対して、特定シーケンスと相互相関演算を行って、チャネルインパルス応答を得る相互相関演算手段と、該チャネルインパルス信号の幅とそのピーク間の距離に基づいて、異なる基地局の信号強度及び使用するパイロットコードを判断し、それによって信号が最強の基地局及び該基地局が使用するパイロットコードを見つける判断手段とを含むことを要旨とする。
【００１２】
本発明の第３の特徴は、基地局と端末とを含むシステムであって、基地局は、特定シーケンスに基づいて、サイクリックシフトすることによって擬似ランダムシーケンスを生成するシーケンス生成手段と、該擬似ランダムシーケンスを、所定の長さをサイクリックシフトするサイクリックシフト手段と、該擬似ランダムシーケンスと、該サイクリックシフトした後のシーケンスとに対してコードチップ毎の加算を行って、該基地局に特定するパイロットコードを形成する加算手段と、該パイロットコードを送信する送信手段とを含み、端末は、受信信号に対して、特定シーケンスと相互相関演算を行って、チャネルインパルス応答を得る相互相関演算手段と、該チャネルインパルス信号の幅とそのピーク間の距離に基づいて、異なる基地局の信号強度及び使用するパイロットコードを判断し、それによって信号が最強の基地局及び該基地局が使用するパイロットコードを見つける判断手段とを含むことを要旨とする。
【００１３】
本発明の第４の特徴は、端末が基地局をサーチする方法であって、基地局が、特定シーケンスに基づいて、サイクリックシフトすることによって擬似ランダムシーケンスを生成するステップａと、基地局が、該擬似ランダムシーケンスを、所定の長さをサイクリックシフトし、そのうち、異なる基地局が、擬似ランダムシーケンスをサイクリックシフトする所定の長さは異なるステップｂと、基地局が、該擬似ランダムシーケンスと、シフトした後のシーケンスとに対してコードチップ毎の加算を行って、パイロットコードを形成して送信するステップｃと、端末が、受信信号に対して、特定シーケンスと相互相関演算を行い、演算結果におけるチャネルインパルス信号の幅とそのピーク間の距離に基づいて、最も信号強度の強い基地局に対応するパイロットコードを判断するステップｄとを含むことを要旨とする。
【発明の効果】
【００１４】
本発明によれば、通信システム又は放送システムなどの汎用システムにおいて、端末（例えば携帯電話、ＰＤＡ又はラジオなど）は、従来の相関受信アルゴリズムを変えない前提で、端末が基地局をサーチする時間を大幅に減少し、端末の電池のエネルギー消耗を減少し、システム性能を向上させることができる。
【発明を実施するための最良の形態】
【００１５】
以下、図面を参照して、本発明のより好ましい実施形態を説明する。以下、本発明がセルラーシステムに適用される場合を例として、本発明の具体的な実施形態を説明する。もちろん、当業者にとって、本発明がこれに限らないことは明らかである。本発明は、例えば放送システムなどの他の無線通信システムにも適用できる。
【００１６】
図３は、本発明による端末が基地局をサーチする方法の原理を示す図である。
【００１７】
図３に示すように、同期システムと非同期システムにおいて、セルから送信される信号の開始時刻の繰り上げ又はヒステリシスは、受信側（端末）におけるチャネルインパルス応答のピーク間の距離に影響を与えない。このため、予め設定したサイクリックシフト長さのパイロットコードによって、セル信号の強弱を判断できる。
【００１８】
図３に示す原理に基づいて、本発明は、端末が基地局をサーチする方法を提供し、具体的に以下のステップが含まれる。
【００１９】
ステップａにおいて、基地局は、特定シーケンスに基づいて、サイクリックシフトすることによって擬似ランダムシーケンスを生成する。注意すべきこととして、全ての基地局は、同一の特定シーケンスに基づいて、サイクリックシフトすることによって擬似ランダムシーケンスを生成し、異なる基地局で生成した擬似ランダムシーケンスの、該特定シーケンスに対するサイクリックシフト長さは異なる。
【００２０】
ステップｂにおいて、基地局は、該擬似ランダムシーケンスを、所定の長さをサイクリックシフトする。そのうち、異なる基地局が擬似ランダムシーケンスをサイクリックシフトする所定の長さは異なる。
【００２１】
ステップｃにおいて、基地局は、該擬似ランダムシーケンスと、シフトした後のシーケンスとに対してコードチップ毎の加算を行い、パイロットコードを形成して送信する。
【００２２】
ステップｄにおいて、端末は、受信信号に対して、特定シーケンスと相互相関演算を行い、演算結果におけるチャネルインパルス信号の幅とそのピーク間の距離に基づいて、最も信号強度の強い基地局に対応するパイロットコードを判断することによって、最も信号強度の強い基地局をサーチする。
【００２３】
図４は、本発明による基地局の構成を示す図である。
【００２４】
図４に示すように、基地局は、シーケンス生成手段１１、サイクリックシフト手段１２、加算手段１３及び送信手段１４を含む。
【００２５】
該シーケンス生成手段１１は、擬似ランダムシーケンスを生成し、該擬似ランダムシーケンスを該サイクリックシフト手段１２、加算手段１３に送信して、パイロットコードの生成に使用する。ここで、全ての基地局は、同一の特定シーケンスに基づいて、サイクリックシフトすることによって擬似ランダムシーケンスを生成し、異なる基地局で生成した擬似ランダムシーケンスの、該特定シーケンスに対するサイクリックシフト長さは異なる。
【００２６】
サイクリックシフト手段１２は、シーケンス生成手段１１からの擬似ランダムシーケンスを、例えば６４個のコードチップの所定の長さをサイクリックシフトし、シフトした後のシーケンスを加算手段１３に送信する。注意すべきこととして、異なる基地局が擬似ランダムシーケンスをサイクリックシフトする長さは異なり、例えば、他の基地局は、擬似ランダムシーケンスを１２８個のコードチップをサイクリックシフトしてもよい。
【００２７】
加算手段１３は、シーケンス生成手段１１からの擬似ランダムシーケンスと、サイクリックシフト手段１２からのシフトした後のシーケンスとに対してコードチップ毎の加算を行い、該基地局に特定するパイロットコードを形成する。注意すべきこととして、異なる基地局が擬似ランダムシーケンスをサイクリックシフトする長さは異なるため、異なるサイクリックシフト長さは、異なるチャネルインパルス信号のピーク間の距離に対応する。そこで、図３に示す原理に基づいて、端末において、異なるパイロットコードが対応する基地局を判断できる。
【００２８】
送信手段１４は、加算手段１３からのパイロットコードを送信する。
【００２９】
図５は、本発明による端末の構成を示す図である。
【００３０】
図５に示すように、本発明による端末は、相互相関演算手段２１及び判断手段２２を含む。
【００３１】
端末において信号を受信した後、相互相関演算手段２１は、受信信号に対して、特定シーケンスと相互相関演算を行って、チャネルインパルス応答を獲得し、該チャネルインパルス応答を判断手段２２に送信する。ここで、端末は、相関演算を行ったローカルコード（上記特定シーケンス、パイロットコード１、パイロットコード２、又はパイロットコード３）を利用して相互相関演算を行う。
【００３２】
判断手段２２は、相互相関演算手段２１からのチャネルインパルス信号の幅とそのピーク間の距離に基づいて、異なるセルにおける基地局の信号強度及び使用するパイロットコードを判断し、それによって、信号が最強のセル（信号が最強の基地局をサーチし、該基地局は該信号が最強のセルをカバーする）及び該基地局が使用するパイロットコードを見つけて、セルサーチ過程を加速させる。
【００３３】
図６は、本発明による端末が基地局をサーチする一例を示す。
【００３４】
図６に示すように、セル１、２、３から送信されるパイロットコード１、２、３のいずれもが同一の特定シーケンス（即ち、図６の一列目のシーケンス、Ｗ０−Ｗ７で計５１２個のコード）に基づいている。
【００３５】
セル１から送信されるパイロットコード１は、該セル１をカバーする基地局＃１におけるシーケンス生成手段１１、サイクリックシフト手段１２、加算手段１３及び送信手段１４が共同で生成したものである。シーケンス生成手段１１が生成した擬似ランダムシーケンスａは、上記特定シーケンスであり、サイクリックシフト手段１２は、該擬似ランダムシーケンスａを６４個のコードチップをサイクリックシフトし、加算手段１３は、擬似ランダムシーケンスとシフトした後のシーケンスｂとを加算してパイロットコード１を生成し、それを送信手段１４から送信することを想定している。
【００３６】
また、セル２をカバーする基地局＃２が生成した擬似ランダムシーケンスは、上記特定シーケンスを、９６（３２+６４）個のコードチップをサイクリックシフトした後のシーケンスｃであり、基地局＃２は、シーケンスｃを、１２８（６４×２）個のコードチップをサイクリックシフトして、シフトした後のシーケンスｄを獲得し、シーケンスｃとｄとを加算してパイロットコード２を生成することを想定している。
【００３７】
また、セル３をカバーする基地局＃３が生成した擬似ランダムシーケンスは、上記特定シーケンスを２８８（３２＋４×６４）個のコードチップをサイクリックシフトした後のシーケンスeであり、基地局＃３は、シーケンスeを、１９２（６４×３）個のコードチップをサイクリックシフトして、シフトした後のシーケンスｆを獲得し、シーケンスeとｆとを加算してパイロットコード３を生成することを想定している。
【００３８】
端末において、受信信号に対して、特定シーケンス（又は他のローカルコード）と相互相関演算を行うことによって、同期と非同期システムの場合、図６の下部に示すチャネルインパルス応答が得られる。チャネルインパルス信号の幅とそのピーク間の距離（６４個のコードチップ、１２８個のコードチップ、１９２個のコードチップ）によると、６４個のコードチップはシーケンスｂに対応し、１２８個のコードチップはシーケンスｄに対応し、１９２個のコードチップはシーケンスｆに対応することが判断でき、異なるセルをカバーする基地局の信号強度及び使用するパイロットコードを速く判断でき、セルサーチを加速でき、端末が基地局をサーチする過程を実現する。
【００３９】
本発明によれば、通信システム又は放送システムなどの汎用システムにおいて、端末（例えば携帯電話、ＰＤＡ又はラジオなど）は、従来の相関受信アルゴリズムを変えない前提で、端末が基地局をサーチする時間を大幅に減少し、端末の電池のエネルギー消耗を減少し、システム性能を向上させることができる。
【００４０】
変形の実施形態
上記実施形態において、三つのセルが送信したパイロットコード１、２、３のいずれもが同一の特定シーケンスに基づいて生成されることを例示して説明した。しかしながら、複数（たとえば３０個）のセルが存在する場合には、本実施形態において、パイロットコードをさらにグループ分けしてもよい。すなわち、サイクリックシフトする長さが同じであるがコード自身が異なる複数のパイロットコードを一グループに分けることによって、端末が基地局をサーチする時間を大幅に減少させ、端末の電池のエネルギー消耗を低減させ、システム性能を向上させることができる。
【００４１】
図７は、本発明の変形の実施形態による基地局の構成を示す図である。図４に示す基地局との差異は、変形実施形態による基地局はグループ分け手段１５をさらに備えることである。他の構成が同じであるため、重複な説明をしない。
【００４２】
図７に示すように、加算手段１３は、シーケンス生成手段１１からの擬似ランダムシーケンスと、サイクリックシフト手段１２からのシフトした後のシーケンスとに対してコードチップごとの加算を行って該基地局に特定するパイロットコード（たとえば基地局１のパイロットコードA１を形成する）を形成した後、グループ分け手段１５は、該パイロットコードA１に対して、所定値と内積演算を行って、基地局２に特定するパイロットコードA２を生成する。該パイロットコードA２とパイロットコードA１が特定シーケンスに対してサイクリックシフトする長さは同じであり、対応するチャネルインパルス信号のピーク間の距離も同じであるので、パイロットコードA２とパイロットコードA１が対応する基地局１と２を一グループに分けることができる。
【００４３】
グループ分け手段１５が該パイロットコードA１に対して異なる所定値と内積演算を行うことによって、特定シーケンスに対してサイクリックシフトする長さが同じである複数のパイロットコードを形成でき、該複数のパイロットコードを第一グループとし、対応する第一の基地局グループにおける基地局がそれぞれ、該第一グループのパイロットコードの各パイロットコードに特定される。類似的に、グループ分け手段１５が上記パイロットコードA２に対して異なる所定値（又はコード）と内積演算を行うことによって、特定シーケンスに対してサイクリックシフトする長さが同じである複数のパイロットコードを形成でき、該複数のパイロットコードを第二グループとする。
【００４４】
すなわち、グループ分け手段１５は、各基地局が特定シーケンスに対してサイクリックシフトした異なる所定長さに基づいて異なるコードグループを分ける。本実施形態は、上記内積演算方式のほかのいずれかの方式を採用してもよい。生成した複数の異なるパイロットコードが特定シーケンスに対してサイクリックシフトした長さが同じであればよい。
【００４５】
そして、端末において信号を受信すると、相互相関演算手段２１は、受信した信号に対して、特定シーケンスと相互相関演算を行ってチャネルインパルス応答を取得し、該チャネルインパルス応答を判断手段２２に送信する。
【００４６】
判断手段２２は、相互相関演算手段２１からのチャネルインパルス信号の幅及びそのピーク間の距離に基づいて、最も信号強度の強い基地局グループを判断し、そして、相互相関演算手段２１によって、該最も信号強度の強い基地局グループに対応するパイロットコードグループの各パイロットコードを利用してそれぞれ従来の相互相関演算を行うことで、最も信号の強いセル（最も信号強度の強い基地局をサーチする。該基地局が該最も信号の強いセルをカバーする）と該基地局が使用するパイロットコードを見つけて、セルのサーチ過程を加速させる。
【００４７】
変形の実施形態の通信システムによれば、異なる基地局が使用するパイロットコードを、特定シーケンスに対してサイクリックシフトした所定長さに基づいて異なるグループにすることで、端末が基地局をサーチする時間を大幅に減少し、端末の電池のエネルギー消耗を減少し、システム性能を向上させることができる。
【００４８】
本発明はここで記載していない様々な実施の形態などを含むことは勿論である。したがって、本発明の技術的範囲は上記の説明から妥当な特許請求の範囲に係る発明特定事項によってのみ定められるものである。
【図面の簡単な説明】
【００４９】
【図１】図１は、セルラーシステムにおいて移動端末がセルをサーチするイメージを示す。
【図２】図２は、同期システムと非同期システムにおいて、サイクリックシフトによって、送信するパイロットコード信号を生成することと移動端末の受信仕組みを示す図である。
【図３】図３は、本発明による端末が基地局をサーチする方法の原理を示す図である。
【図４】図４は、本発明による基地局の構成を示す図である。
【図５】図５は、本発明による端末の構成を示す図である。
【図６】図６は、本発明による端末が基地局をサーチする一例を示す図である。
【図７】図７は、本発明の変形の実施形態による基地局の構成を示す図である。
【符号の説明】
【００５０】
１…パイロットコード
２…パイロットコード
３…パイロットコード
１１…シーケンス生成手段
１２…サイクリックシフト手段
１３…加算手段
１４…送信手段
１５…グループ分け手段
２１…相互相関演算手段
２２…判断手段
【図１】
2008061247.tif 000003
【図２】
2008061247.tif 000004
【図３】
2008061247.tif 000005
【図４】
2008061247.tif 000006
【図５】
2008061247.tif 000007
【図６】
2008061247.tif 000008
【図７】
2008061247.tif 000009